【事件の表示】
　平成　７年特許願第３２２８６４号「写真画像の画像処理用記録媒体およびプリント装置」拒絶査定不服審判事件〔平成　９年　６月２０日出願公開、特開平　９−１６３０５０〕について、次のとおり審決する。
【結　論】
　本件審判の請求は、成り立たない。
【理　由】
１．手続の経緯
　本願は、平成７年１２月１２日の出願であって、平成１５年８月２０日付で拒絶査定がなされ、これに対し、同年９月２５日に拒絶査定に対する審判請求がなされるとともに、同年１０月２７日付で手続補正がなされたものである。
　
２．平成１５年１０月２７日付の手続補正についての補正却下の決定
［補正却下の決定の結論］
　平成１５年１０月２７日付の手続補正を却下する。
　
［理由］
（１）補正後の本願発明
　本件補正により、特許請求の範囲の請求項１は、
「ユーザによって撮影された画像を記録した写真フィルムから該画像を読み取ることにより得られる画像データと、
　ユーザが使用するパソコンの表示装置上あるいはプリント上に、所望の色階調で再生するように前記画像を処理するための画像処理用パラメータとを備え、
　前記画像データと前記画像処理用パラメータとが、写真店または現像所で記録されたものであることを特徴とする前記ユーザが使用するパソコンで読み書き可能な画像処理用記録媒体。」
と補正された。（この記載の事項により特定される発明を以下、「本願補正発明」という。）
　　
（２）引用例
　原査定の拒絶の理由に引用された特開平５−３７７４５号公報（以下、引用例という。）には、図面とともに以下の記載がなされている。
　
「【特許請求の範囲】
【請求項１】　原稿画像を読み取る読取手段と；この読み取った原稿画像に対し、加工／編集を行う加工／編集手段と；この加工／編集する前の原稿画像データと、上記加工／編集手段による加工／編集情報とを別々に記憶媒体に記憶させる記憶手段と；出力指示に基づいて前記記憶媒体に格納した原稿画像データと加工／編集情報を読み出し、前記原稿画像データに前記加工／編集情報の内容を施して出力する出力制御手段と；を有することを特徴とする画像形成装置。」
　
「【０００７】
【実施例】図１は、本発明の一実施例のシステム構成を示すブロック図である。
【０００８】この画像形成装置は、装置本体５にスキャナ１とプリンタ２とを設けたものであり、通常は、スキャナ１から読み込まれた画像データをプリンタ２から出力する。また、スキャナ１から読み込んだ画像データをファイリングする場合には、通信ライン３を介して光磁気ディスクドライブ４にデータを転送する。なお、本実施例の画像形成装置は、読み込んだ画像データをディジタル信号で処理することができ、様々な画像処理を取り扱えるようになっている。
【０００９】図２は、このような画像形成装置において、前記ファイリング動作の制御を行うための構成を示すブロック図である。
【００１０】装置本体５には、装置全体を制御するＣＰＵ１２と、前記画像データに対する各種画像処理を司る画像処理ユニット２１と、前記スキャナ１を制御するスキャナコントローラ１６と、各種入力や表示を行う操作パネル１０とが設けられている。
【００１１】一方、光磁気ディスクドライブ４側には、図示のようなファイリングユニット１１が設けられており、このファイリングユニット１１には、光磁気ディスクドライブ４側の制御を司るＣＰＵ１５と、光磁気ディスクドライブ４の動作を制御するディスクコントローラ１９と、光磁気ディスクが着脱自在にセットされ、データのリードライトを行うディスクドライブユニット２０と、画像データの展開用のメモリ１８とを有する。
【００１２】また、装置本体５とファイリングユニット１１との間は、ファイリングインタフェース１３によって接続されている。」
　
「【００１７】次に、図８は、画像データをファイリングする場合の動作を説明するフローチャートである。
【００１８】画像データをファイリングする場合には、まず、ファイル操作キー４０を押し（Ｓ１）、表示部４１に、図３に示すメニュー選択画面を呼び出す（Ｓ２）。ここで画像入力を選択すれば（Ｓ３）、図４に示すモード設定画面に移行し、画像編集設定モードとなる（Ｓ４）。そして、例えば拡大キー４２を押し、拡大２００％を設定すると（Ｓ５）、図５に示す画面になる（Ｓ６）。そして、モードが確定したら「＃」キー４３を押し（Ｓ７）、さらに画像番号を入力した後（Ｓ７Ａ）、「＃」キー４３を押し（Ｓ７Ｂ）、画像の入力動作が開始される。
【００１９】ここでは、まず、スキャナ１が画像を読み取り（Ｓ８）、ファイリングインタフェース１３を介してファイリングユニット１１に画像データおよび画像の加工／編集データを送信する（Ｓ９）。つまり、この例では、画像データは前記スキャナ１で読み取った原画像データであり、加工／編集データは、画像データを２００％拡大するという内容を示すデータである。
【００２０】そこで、ファイリングユニット１１のＣＰＵ１５は、ディスクコントローラ１９を介してディスクドライブユニット２０にセットされた光磁気ディスクに、前記画像データおよび加工／編集データを記憶させる（Ｓ１０）。
【００２１】一方、図９は、画像の出力動作を示すフローチャートである。
【００２２】光磁気ディスク上の画像データを出力する場合には、前記ファイル操作キー４０を押し（Ｓ２１）、図３に示す画面を表示させて（Ｓ２２）、画像出力を選択すると（Ｓ２３）、図６に示す画像選択画面に移行する（Ｓ２４）。そして、所望の画像データを選択すると（Ｓ２５、Ｓ２５ａ）、図７に示す出力形式選択画面に移行する（Ｓ２６）。ここで記憶画像出力を選択すると（Ｓ２７、Ｓ２７ａ）、ＣＰＵ１２は、その指示をＣＰＵ１５に伝えて前記光磁気ディスクに記憶した画像データおよび加工／編集データをファイリングインタフェース１３を介して前記画像処理ユニット２１に送信する（Ｓ２８）。これにより、ＣＰＵ１２は、画像データを加工／編集して出力する（Ｓ２９）。つまり、この場合には、画像データを２００％拡大して出力する。」
　
「【００４６】なお、以上実施例では、画像データの加工／編集として拡大縮小を行う場合を説明したが、その他の加工／編集についても同様に処理し得ることは言うまでもない。」
　
　したがって、引用例には次の発明（以下「引用発明」という。）が記載されている。
　
「原稿画像を読み取ることにより得られる原稿画像データと、
　原稿画像を加工／編集するための加工／編集情報とを、
　格納した光磁気ディスク。」
　
（３）対比
　引用発明の「原稿画像を読み取ることにより得られる原稿画像データ」は、本願補正発明の「ユーザによって撮影された画像を記録した写真フィルムから該画像を読み取ることにより得られる画像データ」と後記する点で異なるが、画像を読み取ることにより得られる画像データである点では相違はない。
　また、引用発明の「原稿画像を加工／編集するための加工／編集情報」は、例えば「画像データを２００％拡大するという内容を示すデータ」（段落【００１９】）といったものであるから、本願補正発明の「ユーザが使用するパソコンの表示装置上あるいはプリント上に、所望の色階調で再生するように前記画像を処理するための画像処理用パラメータ」と後記する点で異なるが、画像を処理するための画像処理用パラメータである点では相違はない。
　さらに、引用発明の「光磁気ディスク」が、パソコンで読み書き可能な画像処理用記録媒体といえるものであることは明かである。
　したがって、本願補正発明と引用発明とを対比すると、次の点で一致する。
　
「画像を読み取ることにより得られる画像データと、
　画像を処理するための画像処理用パラメータとを備え、
　パソコンで読み書き可能な画像処理用記録媒体。」
　
　また次の点で相違する。
　
　相違点
　画像データが、本願補正発明では「ユーザによって撮影された画像を記録した写真フィルム」から読み取られたものであるのに対して、引用発明では「原稿画像」を読み取ったものであり、画像処理用パラメータが、本願補正発明では「ユーザが使用するパソコンの表示装置上あるいはプリント上に、所望の色階調で再生するように前記画像を処理するための」ものであるのに対して、引用発明では、上記のとおり「【００４６】なお、以上実施例では、画像データの加工／編集として拡大縮小を行う場合を説明したが、その他の加工／編集についても同様に処理し得ることは言うまでもない。」と記載されているものの、拡大縮小以外の画像処理については具体的な記載がなされておらず、さらに、それらの記録について、本願補正発明では「写真店または現像所で記録されたものであること」とされているのに対して、引用発明では場所の特定がなされていない点。
　
（４）相違点に対する判断
　ユーザによって撮影された画像を記録した写真フィルムから該画像を読み取ることにより得られる画像データに画像処理を行い、写真店または現像所で光ディスクに記録することは、本願の出願前に周知である。（例えば、特開平６−３１８０５７号公報には、「【０００２】
【従来の技術】銀塩写真から得られる画像データは高解像度のデータを有している。たとえば35mmネガフィルムから得られる画像データは、約６万画素という他のデジタル画像では得られない多くの画素データを含む。近年、このような高解像度の画像データを追記可能な光ディスクに記録する、いわゆるフォトCD（コンパクトディスク）記録サービスが開始されている。
【０００３】　このサービスは、個人にて撮影したフィルムが現像所にて現像され、それらの現像されたフィルムがフィルムスキャナなどにて走査されてそれぞれの画像データが得られる。これら画像データは所定の画像処理装置に送られ、圧縮処理等が施されて順次CDライタに供給される。CDライタにおいてはレーザ光などにて追記可能な光ディスクに順次画像データが書き込こまれる。このようにして記録されたフォトCDはユーザに手渡される。ユーザは、画像データが記録されたフォトCDを専用のフォトCDプレーヤまたはCD−Iプレーヤなどの再生装置に装着して、画像をディスプレイ等に表示する。」と記載されている。特開平６−１３１８０９号公報及び特開平５−１９１７６６号公報にも「フォトＣＤシステム」について記載がある。）
　また、写真フィルムを読み取った画像データを表示またはプリントする際に、所望の色となるように画像処理を行うことは周知である。（例えば、特開平７−５０７６２号公報、特開平６−１３９３２３号公報、特開平３−１５３１６６号公報等。）
　そして、表示またはプリントされたものが、所望の色となるように画像処理されるべきであるから、画像データをユーザによって撮影された画像を記録した写真フィルムから読み取られたものとし、画像処理用パラメータをユーザが使用するパソコンの表示装置上あるいはプリント上に所望の色階調で再生するように前記画像を処理するためのものとし、それらの記録を写真店または現像所で記録されたものとすることに困難な点はない。
　したがって、本願補正発明は、引用例に記載された発明に基づいて当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
（６）備考
　なお、平成１５年１０月２７日付の手続補正は、請求項１について、その記載を、平成１５年４月２８日付の手続補正書の特許請求の範囲の請求項１の記載と対比してみると、画像データについて、「撮影画像」とあったのを「ユーザによって撮影された画像」とし、画像データ及び画像処理用パラメータについて、「前記画像データと前記画像処理用パラメータとが、写真店または現像所で記録されたものである」とするものである。
　どのようなカメラにより撮影されるのか、もしくは、どのような記録装置により記録されるのかを特定すれば、それらにより、読み取ることにより得られる画像データ、または、記録された画像データや画像処理用パラメータに関して、技術的に有意な相違が生じる場合がありうるが、使用する機器を特定することなく、誰によって撮影されたものか、どこで記録されたものかを特定しても、そのことにより技術的に有意な相違が生じるものとは考えられない。例えば、同じ記録装置を用いて、ユーザが自宅で記録したものと、写真店で記録したものとに、差が生じるとは考えられない。
　したがって、上記の補正は、文言上は発明を特定する事項を修飾するものであるが、その内容は、発明を特定する事項を技術的には何ら限定していないものでしかない。
　
３．本願発明について
　平成１５年１０月２７日付の手続補正は上記のとおり却下されたので、本願の請求項１に係る発明（以下、同項記載の発明を「本願発明」という。）は、平成１５年４月２８日付手続補正書の特許請求の範囲の請求項１に記載された事項により特定される、以下のとおりのものである。
　
「撮影画像を記録した写真フィルムから該画像を読み取ることにより得られる画像データと、
　ユーザが使用するパソコンの表示装置上あるいはプリント上に、所望の色階調で再生するように前記画像を処理するための画像処理用パラメータとを備えたことを特徴とする前記ユーザが使用するパソコンで読み書き可能な画像処理用記録媒体。」
　
　原査定の拒絶の理由に引用された特開平５−３７７４５号公報の記載事項は、前記のとおりである。
　そして、本願発明は、画像データについて、本願補正発明では「ユーザによって撮影された画像」とあったのを「撮影画像」とし、画像データ及び画像処理用パラメータについて、どこで記録するのかについての特定がないものであるから、本願補正発明と同様、引用例に基づき当業者が容易に発明をすることができたものである。
　
　以上のとおり、本願発明は、引用例に記載された発明に基づいて、当業者が容易に発明をすることができたものであるから、特許法第２９条第２項の規定により特許を受けることができない。
　よって、結論のとおり審決する。